(57)【要約】【課題】インバータのスイッチングを停止することなく、適正にゼロ点補正を行うことができ、さらに、インバータが常時稼動していても適宜にゼロ点補正を行うことができるインバータ回路を提供する。【解決手段】インバータ回路１００ａ〜１００ｃにおいて、電流センサ２０にて検出する接続経路１１とは別にバイパス経路１２を設け、電流センサ２０のゼロ点補正を行う場合はインバータ１０の出力側と接続経路１１との接続をインバータ１０の出力側とバイパス経路１２との接続に切り換える。また、電流形インバータ回路１００ｄにおいて、インバータ１１０の交流側に接続されたキャパシタ１６０を通常時は電流センサ１２０よりも上流の接続経路１１１ａに接続し、電流センサ１２０のゼロ点補正時はキャパシタ１６０の接続先を電流センサ１２０よりも下流の接続経路１１１ｂに切り換える。【選択図】図１
2010045945.tif 000002
【特許請求の範囲】
【請求項１】
電力変換器の交流側の接続経路に電流センサを設ける電力変換器回路において、
前記電流センサにて検出する前記接続経路とは別にバイパス経路を設け、
前記電流センサのゼロ点補正を行う場合は前記電力変換器と前記接続経路との接続を前記電力変換器と前記バイパス経路との接続に切り換えることを特徴とする電力変換器回路。
【請求項２】
請求項１記載の電力変換器回路において、
前記バイパス回路にバイパス回路用電流センサを設けることを特徴とする電力変換器回路。
【請求項３】
請求項１記載の電力変換器回路において、
前記電力変換器の全交流経路に対して前記電流センサを設けることを特徴とする電力変換器回路。
【請求項４】
アームが逆素子形のスイッチング素子より成る電流形電力変換器の交流側の接続経路に電流センサを設ける電流形電力変換器回路において、
前記電力変換器の交流側に接続されたキャパシタを通常時は前記電流センサよりも電力変換器側の接続経路に接続し、前記電流センサのゼロ点補正時は前記キャパシタの接続先を前記電流センサよりも交流側の接続経路に切り換えることを特徴とする電流形電力変換器回路。
【請求項５】
請求項１から４のいずれか一つに記載の電力変換器回路において、
前記経路の切り換えを同時オン形のスイッチにて行うことを特徴とする電力変換器回路。
【発明の詳細な説明】
【技術分野】
【０００１】
本発明は、インバータの出力側のような電力変換器の交流側に設ける電流センサのゼロ点補正を行うことに関する。
【背景技術】
【０００２】
従来、この種の電流センサのゼロ点補正構成として、例えば、インバータ出力側の交流電流が零近傍の所定値以下となった後に一定期間、インバータのスイッチングを停止して電流検出器に流れる電流値を零設定として、このときの検出値に基づいて電流検出器のゼロ点補正を行う構成のものが開示されている（下記特許文献１の段落［００１３］の（１）等参照）。
【特許文献１】特開平７−３０８０７２号公報
【発明の開示】
【発明が解決しようとする課題】
【０００３】
しかしながら、上記した従来の構成では、ゼロ点補正を行うにあたり、インバータ出力側の交流電流が零近傍の所定値以下となった後に一定期間、インバータのスイッチングを停止するので、それだけインバータをスイッチングするための制御構成が複雑となる。
【０００４】
また、上記の従来構成では、インバータのスイッチング停止可能時期（出力側の交流波形がゼロ近傍のタイミングにくるまで最大で略一周期分）を待たなければならず、適宜に電流センサのゼロ点補正を行えないという不都合もある。
【０００５】
特に、分散電源に使用する系統連系インバータは常時稼動する場合があり、上記の従来構成ではゼロ点補正を行うことが困難である。
【０００６】
そこで、本発明は、インバータのスイッチングを停止することなく、適正にゼロ点補正を行うことが可能なインバータ回路を提供することを目的とする。
【０００７】
さらに、本発明は、インバータが常時稼動していても適宜にゼロ点補正を行うことが可能なインバータ回路を提供することを目的とする。
【課題を解決するための手段】
【０００８】
本発明は、前記課題を解決するために、次の第１及び第２態様の電力変換器回路を提供する。
【０００９】
（１）第１態様の電力変換器回路
電力変換器の交流側の接続経路に電流センサを設ける電力変換器回路において、前記電流センサにて検出する前記接続経路とは別にバイパス経路を設け、前記電流センサのゼロ点補正を行う場合は前記電力変換器と前記接続経路との接続を前記電力変換器と前記バイパス経路との接続に切り換えることを特徴とする電力変換器回路。
【００１０】
本発明に係る第１態様の電力変換器回路では、前記電流センサのゼロ点補正を行う場合に前記電力変換器と前記接続経路との接続を前記電力変換器と前記バイパス経路との接続に切り換えることで、前記接続経路に流れている出力電流を前記バイパス経路に流すことができるので、前記接続経路での電流値をゼロとすることができる。これにより、適正にゼロ点補正を行うことができる。このように、前記電流センサのゼロ点補正を行う場合は前記電力変換器と前記接続経路との接続を前記電力変換器と前記バイパス経路との接続に切り換えるので、前記電力変換器のスイッチングを停止する制御構成を考慮することなく、ゼロ点補正を容易に且つ確実に行うことができる。
【００１１】
従って、本発明に係る第１態様の電力変換器回路によれば、前記電力変換器のスイッチングを停止することなく、適正なゼロ点補正を容易に且つ確実に行うことが可能となる。
【００１２】
しかも、前記電力変換器と前記バイパス経路との接続への切り換えをいつでも行うことができ、従来の如く出力側の交流波形がゼロ近傍のタイミングにくるまで待つといった動作を行わなくてもよいので、前記電力変換器が常時稼動していても適宜にゼロ点補正を行うことができる。
【００１３】
さらに、前記電流センサのゼロ点補正を行う際には、前記電力変換器からの出力電流を前記接続経路から前記バイパス経路へ流すので、ゼロ点補正を行っている時でも、このバイパス経路を介して電力供給を継続して行うことができる。
【００１４】
ところで、前記電流センサのゼロ点補正を行っている時には該電流センサによる電流の検出を行うことができないため、ゼロ点補正時の電流値を認識することができない。
【００１５】
かかる観点から、本発明に係る第１態様の電力変換器回路において、前記バイパス回路にバイパス回路用電流センサを設けることが好ましい。
【００１６】
この特定事項では、前記電流センサのゼロ点補正時でも前記バイパス回路に設けられた前記バイパス回路用電流センサによって電流検出を継続して行うことができ、これにより、ゼロ点補正時の電流値を認識することが可能となる。
【００１７】
また、本発明に係る第１態様の電力変換器回路において、前記電力変換器の全交流経路に対して前記電流センサを設けることが好ましい。かかる構成において、例えば、中性線が存在する場合には、この中性線に前記電流センサを設けてもよい。
【００１８】
この特定事項では、前記電力変換器の全交流経路のうち、一の経路における前記電流センサのゼロ点補正時において、残りの各経路における電流センサからの電流検出信号に基づきゼロ点補正時の電流値を演算することができ、これにより、ゼロ点補正時の電流値を他の電流センサから認識することが可能となる。
【００１９】
（２）第２態様の電力変換器回路
アームが逆素子形のスイッチング素子より成る電流形電力変換器の交流側に電流センサを設ける電流形電力変換器回路において、前記電力変換器の交流側の接続経路に接続されたキャパシタを通常時は前記電流センサよりも電力変換器側の接続経路に接続し、前記電流センサのゼロ点補正時は前記キャパシタの接続先を前記電流センサよりも交流側の接続経路に切り換えることを特徴とする電流形電力変換器回路。
【００２０】
本発明に係る第２態様の電流形電力変換器回路では、前記電流形電力変換器の前記キャパシタでの平滑化前の出力電流が矩形波となり、該矩形波の出力電流の電流値がゼロとなる期間を長くできることを活かして、前記電流センサのゼロ点補正を行う場合は前記キャパシタの接続先を前記電流センサよりも電力変換器側の接続経路から交流側（例えば負荷側や系統側）の接続経路に切り換えることで、該交流側の接続経路に切り換えた場合での前記矩形波（前記キャパシタでの平滑化前における矩形波）の出力電流の電流値がゼロとなるタイミングで適正にゼロ点補正を行うことができる。このように、前記電流センサのゼロ点補正を行う場合は前記キャパシタでの平滑化前における矩形波の出力電流の電流値がゼロとなる期間を利用するので、前記電力変換器のスイッチングを停止しなくても、ゼロ点補正を行うことができる。
【００２１】
従って、本発明に係る第２態様の電力変換器回路によれば、前記電力変換器のスイッチングを停止することなく、適正なゼロ点補正を容易に行うことが可能となる。
【００２２】
本発明に係る第１及び２態様の電力変換器回路において、前記経路の切り換えを同時オン形のスイッチにて行うことが好ましい。ここで、同時オン形のスイッチとは、前記経路を切り換えるときに、現在接続されている経路と、これから接続される経路との双方とも接続する状態が存在するように構成したスイッチをいい、メイクビフォーブレーク接点のスイッチ或いはコンティニュアス接点のスイッチとも称する。
【００２３】
即ち、本発明に係る第１態様の電力変換器回路では、前記電力変換器に対する前記接続経路と前記バイパス経路との接続の切り換えを同時オン形のスイッチにて行うことが好ましい。
【００２４】
この特定事項では、前記電力変換器に対する前記接続経路と前記バイパス経路との接続の切り換えの際に、前記電力変換器との接続が途切れることがないため、前記電力変換器からの電力供給或いは電力変換器への電力入力を連続的に行うことができる。
【００２５】
また、本発明に係る第２態様の電流形電力変換器回路では、前記キャパシタの接続先の前記電流センサを基準にした電力変換器側又は交流側のいずれかの接続経路への切り換えを同時オン形のスイッチにて行うことが好ましい。
【００２６】
この特定事項では、前記キャパシタの接続先の前記電流センサを基準にした電力変換器側又は交流側のいずれかの接続経路への切り換えの際に、該接続経路と前記キャパシタとの接続が途切れることがないため、前記電力変換器から出力される矩形波を前記キャパシタにて平滑化した平滑波形電流を連続的に供給することができる。
【発明の効果】
【００２７】
以上説明したように、本発明に係る第１及び第２態様の電力変換器回路によると、ゼロ点補正を行うにあたり、前記経路の接続を切り換えるだけなので、前記電力変換器のスイッチングを停止することなく、適正にゼロ点補正を行うことができる。
【００２８】
さらに、本発明に係る第１態様の電力変換器回路によると、前記電力変換器と前記バイパス経路との接続への切り換えをいつでも行えるので、電力変換器が常時稼動していても適宜にゼロ点補正を行うことができる。
【発明を実施するための最良の形態】
【００２９】
以下、本発明の実施形態について添付図面を参照しつつ説明する。以下では、電力変換器としてインバータを使用した場合を例にとって説明する。なお、以下の実施の形態は、本発明を具体化した一例であって、本発明の技術的範囲を限定する性格のものではない。
【００３０】
（第１実施形態）
図１は、本発明の第１実施形態に係るインバータ回路１００ａを示す概略構成図である。図１に示す第１実施形態のインバータ回路１００ａは、インバータ１０の出力側の接続経路１１に電流センサ２０を設け、電流センサ２０のゼロ点補正を行えるようになっている。
【００３１】
第１実施形態のインバータ回路１００ａは、複数のスイッチング素子Ｓを備えたインバータ１０の出力側の接続経路１１に電流センサ２０が設けられており、この電流センサ２０からの電流検出信号に基づき制御装置３０によって該インバータ１０がスイッチング制御（導通制御）されることで、インバータ１０から出力される出力電流ｉOを負荷や商用電力系統などの電流供給部４０へ供給するようになっている。
【００３２】
詳しくは、第１実施形態のインバータ回路１００ａは、３相３線式交流の回路構成であり、インバータ１０の出力側と電流供給部４０との間にＵ相、Ｖ相及びＷ相の３つの接続経路１１（１１U，１１V，１１W）を有している。この３相の接続経路のうちゼロ点補正を行うべき接続経路に電流センサ２０が設けられている。図示の例では、Ｖ相の接続経路１１Vに電流センサ２０を設けた例を示している。
【００３３】
そして、第１実施形態のインバータ回路１００ａは、電流センサ２０にて検出する接続経路１１とは別にバイパス経路１２が設けられており、電流センサ２０のゼロ点補正を行う場合はインバータ１０の出力側と接続経路（以下、主経路という）１１との接続からインバータ１０の出力側とバイパス経路１２との接続へと切り換えるようになっている。
【００３４】
より具体的には、インバータ回路１００ａは、切換手段（ここではスイッチング素子）１３をさらに備えている。主経路１１は、一端部がインバータ１０の出力側端子１０ａに接続され且つ他端部が切換手段１３の通常時切換側端子１３ａに接続されている。バイパス経路１２は、一端部がインバータ１０の出力側端子１０ａに接続され且つ他端部が切換手段１３のゼロ点補正時切換側端子１３ｂに接続されている。
【００３５】
また、切換手段１３は、コモン端子１３ｃが電流供給部４０に接続されており、コモン端子１３ｃ及び通常時切換側端子１３ａを接続した第１接続状態と、コモン端子１３ｃ及びゼロ点補正時切換側端子１３ｂを接続した第２接続状態とを切換可能となっている。本第１実施形態では、切換手段１３は、制御装置３０からの作動信号に基づき、第１接続状態と第２接続状態とが切り換えられるようになっている。そして、制御装置３０は、通常時（ゼロ点補正時以外の時）には第１接続状態となり、且つ、ゼロ点補正時には第２接続状態となるように切換手段１３を作動制御するように構成されている。詳しくは、制御装置３０は、図示を省略したＣＰＵ及び記憶部を備えている。前記記憶部は、ＲＯＭ及びＲＡＭを含み、各種制御プログラムや必要な関数及びテーブルを記憶するようになっている。制御装置３０は、前記ＣＰＵによって、制御プログラムを前記記憶部から読み出し、該読み出した制御プログラムを実行することで、電流センサ２０の電流検出信号に基づくインバータ１０のスイッチング制御に加えて切換手段１３の切り換えによるゼロ点補正を行うように構成されている。
【００３６】
以上説明した第１実施形態のインバータ回路１００ａでは、電流センサ２０のゼロ点補正を行う場合に、制御装置３０の指示の下、切換手段１３によってインバータ１０の出力側と主経路１１との接続をインバータ１０の出力側とバイパス経路１２との接続に切り換えることで、主経路１１に流れている出力電流ｉOがバイパス経路１２に流れるので、主経路１１での電流値がゼロとなる。これにより、ゼロ点補正を適正に行うことができる。このように、電流センサ２０のゼロ点補正を行う場合は切換手段１３にてインバータ１０の出力側とバイパス経路１２との接続に切り換えるので、インバータ１０のスイッチングを停止する制御構成を考慮することなく、ゼロ点補正を容易に且つ確実に行うことができる。
【００３７】
しかも、インバータ１０の出力側とバイパス経路１２との接続への切り換えをいつでも行うことができ、従来の如く出力側の交流波形がゼロ近傍のタイミングにくるまで待つといった動作を行わなくてもよいので、交流波形のゼロ近傍のタイミングに拘わらず、いつでもゼロ点補正を行うことができる。
【００３８】
さらに、電流センサ２０のゼロ点補正を行う際には、インバータ１０からの出力電流ｉOが主経路１１に代えてバイパス経路１２を通じて電流供給部４０に流れるので、ゼロ点補正を行っている時でも、このバイパス経路１１によって電流供給部４０への電力供給を継続して行うことができる。
【００３９】
なお、第１実施形態のインバータ回路１００ａは、相の数、線の数を問わず、つまり、ｎ相ｍ線式（ｎ，ｍは２以上の整数）の回路構成とされていても、本発明を適用できることは言うまでもない。このことは、後述する図２から図４に示す第２から第４実施形態についても同様である。
【００４０】
（第２実施形態）
図２は、本発明の第２実施形態に係るインバータ回路１００ｂを示す概略構成図である。なお、図２に示すインバータ回路１００ｂにおいて、図１に示すインバータ回路１００ａと同一の要素には同じ参照符号を付している。以下、図１に示すインバータ回路１００ａとは異なる点を中心に説明する。
【００４１】
図２に示す第２実施形態のインバータ回路１００ｂは、第１実施形態のインバータ回路１００ａにおいて、バイパス回路１２にバイパス回路用電流センサ５０が設けられている。本第２実施形態では、制御装置３０は、切換手段１３が電流センサ２０側の第１接続状態に切り換えられているときは電流センサ２０の電流検出信号に基づきインバータ１０のスイッチング制御を行う一方、切換手段１３がバイパス回路用電流センサ５０側の第２接続状態に切り換えられているときはバイパス回路用電流センサ５０の電流検出信号に基づくインバータ１０のスイッチング制御を行うと共に、電流センサ２０のゼロ点補正を行うように構成されている。
【００４２】
この第２実施形態のインバータ回路１００ｂでは、電流センサ２０のゼロ点補正を行っている時でもバイパス回路１２に設けられたバイパス回路用電流センサ５０によって電流検出を継続して行うことができ、これにより、電流センサ２０のゼロ点補正の実施に関わらず、電流値を検出することができる。なお、バイパス回路用電流センサ５０のゼロ点補正は、バイパス回路１２に電流が流れていない時（例えば、インバータ１０の出力側と主経路１１とを接続している時）に行うことができる。
【００４３】
（第３実施形態）
本発明に係るインバータ回路において、インバータの出力側の主経路に設けられる電流センサは、ｎ相ｍ線式（ｎ，ｍは２以上の整数）のｍ線全ての主経路に設けることができる。
【００４４】
図３は、本発明の第３実施形態に係るインバータ回路１００ｃを示す概略構成図である。なお、図３に示すインバータ回路１００ｃにおいて、図１に示すインバータ回路１００ａと同一の要素には同じ参照符号を付している。以下、図１に示すインバータ回路１００ａとは異なる点を中心に説明する。また、図３において、制御装置３０は図示を省略している。
【００４５】
図３に示す第３実施形態のインバータ回路１００ｂは、第１実施形態のインバータ回路１００ａにおいて、インバータ１０の全出力経路（例えばＵ相、Ｖ相及びＷ相の主経路１１U，１１V，１１W）に対して電流センサ２０が設けられている。
【００４６】
この第３実施形態のインバータ回路１００ｃでは、インバータ１０の全出力経路のうち、一の経路（例えばＶ相の主経路１１V）の電流センサ２０のゼロ点補正を行うときには、残りの各経路（例えばＵ相及びＷ相の主経路１１U，１１W）全ての電流センサ２０にて電流検出を行うことで、インバータ１０の全出力経路のうち、ゼロ点補正経路である一の経路（例えばＶ相の主経路１１V）の電流センサ２０の電流値について、残りの各経路（例えばＵ相及びＷ相の主経路１１U，１１W）の電流センサ２０からの電流検出信号に基づき演算することができ、これにより、電流センサ２０のゼロ点補正の実施に関わらず、電流値を認識することが可能となる。
【００４７】
なお、以上説明した第１から第３実施形態では、切換手段１３の切換動作を制御装置３０にて自動的に行うが、手動操作等の人為的な操作により行うようにしてもよい。
【００４８】
（第４実施形態）
図４は、本発明の第４実施形態に係るインバータ回路１００ｄを示す概略構成図である。図４に示す第４実施形態のインバータ回路１００ｄは、電流形インバータ１１０の交流側の接続経路１１１に電流センサ１２０を設け、電流センサ１２０のゼロ点補正を行える電流形インバータ回路とされている。
【００４９】
第４実施形態の電流形インバータ回路１００ｄは、アームが逆素子形の複数のスイッチング素子Ｓ’より成る電流形インバータ１１０の交流側の接続経路１１１に電流センサ１２０が設けられており、この電流センサ１２０からの電流検出信号に基づき制御装置１３０によって該電流形インバータ１１０がスイッチング制御（導通制御）されることで、電流形インバータ１１０から出力される出力電流を負荷や商用電力系統などの電流供給部１４０へ供給するようになっている。
【００５０】
詳しくは、第４実施形態の電流形インバータ回路１００ｄは、３相３線式交流の回路構成であり、電流形インバータ１１０の交流側と電流供給部１４０との間にＵ相、Ｖ相及びＷ相の３つの接続経路１１１（１１１U，１１１V，１１１W）を有している。この３相の接続経路のうちゼロ点補正を行うべき接続経路に電流センサ１２０が設けられている。図示の例では、Ｖ相の接続経路１１１Vに電流センサ１２０を設けた例を示している。
【００５１】
そして、第４実施形態の電流形インバータ回路１００ｄは、電流形インバータ１１０の交流側に接続されたキャパシタ１６０を通常時（ゼロ点補正時以外の時）は電流センサ１２０よりも上流（インバータ側）の接続経路１１１ａに接続し、電流センサ１２０のゼロ点補正時はキャパシタ１６０の接続先を電流センサ１２０よりも下流（インバータ側とは反対側（電流供給部１４０側））の接続経路１１１ｂに切り換えるようになっている。
【００５２】
より具体的には、インバータ回路１００ｄは、切換手段（ここではスイッチング素子）１１３をさらに備えている。接続経路１１１は、一端部が電流形インバータ１１０の出力側に接続され且つ他端部が電流供給部４０に接続されている。また、接続経路１１１において、電流センサ１２０を基準にした上流の接続経路１１１ａは切換手段１１３の通常時切換側端子１１３ａに接続されており、電流センサ１２０を基準にした下流の接続経路１１１ｂは切換手段１１３のゼロ点補正時切換側端子１１３ｂに接続されている。
【００５３】
また、切換手段１１３は、一方の端子が接地されたキャパシタ１６０の他方の端子にコモン端子１１３ｃが接続されており、コモン端子１１３ｃ及び通常時切換側端子１１３ａを接続した第１接続状態と、コモン端子１１３ｃ及びゼロ点補正時切換側端子１１３ｂを接続した第２接続状態とを切換可能となっている。本第４実施形態では、切換手段１１３は、制御装置１３０からの作動信号に基づき、第１接続状態と第２接続状態とが切り換えられるようになっている。そして、制御装置１３０は、通常時には第１接続状態となり、且つ、ゼロ点補正時には第２接続状態となるように切換手段１１３を作動制御するように構成されている。詳しくは、制御装置１３０は、図示を省略したＣＰＵ及び記憶部を備えている。前記記憶部は、ＲＯＭ及びＲＡＭを含み、各種制御プログラムや必要な関数及びテーブルを記憶するようになっている。制御装置１３０は、前記ＣＰＵによって、制御プログラムを前記記憶部から読み出し、該読み出した制御プログラムを実行することで、インバータ１１０の電流検出信号に基づくスイッチング制御に加えて切換手段１１３の切り換えによるゼロ点補正を行うように構成されている。
【００５４】
以上説明した第４実施形態のインバータ回路１００ｄでは、電流形インバータ１１０のキャパシタ１６０での平滑化前の出力電流ｉO’が矩形波となる。このため矩形波の出力電流ｉO’の電流値がゼロとなる期間を長くすることができる。
【００５５】
図５は、電流形インバータ１１０のキャパシタ１６０での平滑化前における出力電流ｉO’の波形の一例を概略的に示す図である。図５に示すように、符号Ｔのタイミングにおいて、出力電流ｉO’の電流値がゼロとなる期間を設けることができる。
【００５６】
第４実施形態のインバータ回路１００ｄでは、この特性を利用して、電流センサ１２０のゼロ点補正を行う場合はキャパシタ１６０の接続先を電流センサ１２０よりも下流の接続経路１１１ｂに切り換えることで、該下流の接続経路１１１ｂに切り換えた場合での矩形波（キャパシタ１６０による平滑化前の矩形波）の出力電流ｉO’の電流値がゼロとなるタイミングＴで適正にゼロ点補正を行うことができる。このように、電流センサ１２０のゼロ点補正を行う場合はキャパシタ１６０での平滑化前における矩形波の出力電流ｉO’の電流値がゼロとなる期間Ｔを利用するので、電流形インバータ１１０のスイッチングを停止する制御構成を考慮することなく、ゼロ点補正を容易に行うことができる。
【００５７】
さらに、電流センサ１２０のゼロ点補正を行う際には、キャパシタ１６０の接続先を電流センサ１２０よりも下流の接続経路１１１ｂに切り換えるだけなので、ゼロ点補正を行っている時でも、電流供給部１４０への電力供給を継続することができる。
【００５８】
なお、第１から第４実施形態のインバータ回路１００ａ〜１００ｄでは、切換スイッチ１３，１１３として同時オン形のものを用いることが好ましい。
【００５９】
図６は、第１から第４実施形態のインバータ回路１００ａ〜１００ｄにおいて、切換スイッチ１３，１１３として同時オン形のスイッチを用いた場合の切換状態を示す概念図である。図６（ａ）は、第１接続状態を示しており、図６（ｂ）は、第１接続状態と第２接続状態との間の同時オン状態を示しており、図６（ｃ）は、第２接続状態を示している。
【００６０】
図６に示すように、同時オン形の切換スイッチ１３，１１３は、経路を切り換えるときに、第１接続状態の経路（図６（ａ）のα参照）と、第２接続状態の経路（図６（ｃ）のβ参照）との双方とも接続する状態（図６（ｂ）参照）が存在するように構成されている。
【００６１】
即ち、第１から第３実施形態のインバータ回路１００ａ〜１００ｃでは、インバータ１０の出力側に対して主経路１１とバイパス経路１２とを同時に接続することができる。かかる構成を備えたインバータ回路１００ａ〜１００ｃによると、インバータ１０の出力側に対する接続経路１１とバイパス経路１２との接続の切り換えの際に、インバータ１０から電流供給部４０への接続が途切れることがないため、インバータ１０から電流供給部４０への電力供給を連続的に行うことができる。
【００６２】
また、第４実施形態の電流形インバータ回路１００ｄでは、キャパシタ１６０の電流センサ１２０を基準にした上流の経路１１１ａの接続と下流の接続経路１１１ｂの接続とを同時に実現することができる。かかる構成を備えた電流形インバータ回路１００ｄによると、キャパシタ１６０の接続先に関し電流センサ１２０を基準にした上流の接続経路１１１ａ又は下流の接続経路１１１ｂのいずれかへの切り換えの際に、該接続経路１１１とキャパシタ１６０との接続が途切れることがないため、電流形インバータ１１０から出力される矩形波を電流供給部１４０へ供給することなく、キャパシタ１６０にて平滑化した平滑波形電流を電流供給部１４０へ連続的に供給することができる。
【図面の簡単な説明】
【００６３】
【図１】本発明の第１実施形態に係るインバータ回路を示す概略構成図である。
【図２】本発明の第２実施形態に係るインバータ回路を示す概略構成図である。
【図３】本発明の第３実施形態に係るインバータ回路を示す概略構成図である。
【図４】本発明の第４実施形態に係るインバータ回路を示す概略構成図である。
【図５】電流形インバータのキャパシタでの平滑化前における出力電流の波形の一例を概略的に示す図である。
【図６】第１から第４実施形態のインバータ回路において、切換スイッチとして同時オン形のスイッチを用いた場合の切換状態を示す概念図である。
【符号の説明】
【００６４】
１０      インバータ
１１      インバータの出力側の接続経路（主経路）
１２      バイパス経路
１３      切換スイッチ
２０      電流センサ
５０      バイパス回路用電流センサ
１００ａ  インバータ回路
１００ｂ  インバータ回路
１００ｃ  インバータ回路
１００ｄ  電流形インバータ回路
１１０    電流形インバータ
１１１    インバータの交流側の接続経路
１１１ａ  上流の接続経路
１１１ｂ  下流の接続経路
１１３    切換スイッチ
１２０    電流センサ
１６０    キャパシタ
Ｓ        スイッチング素子
Ｓ’      逆素子形のスイッチング素子
【図１】
2010045945.tif 000003
【図２】
2010045945.tif 000004
【図３】
2010045945.tif 000005
【図４】
2010045945.tif 000006
【図５】
2010045945.tif 000007
【図６】
2010045945.tif 000008